(57)【特許請求の範囲】
【請求項１】
コピー対象となる入来データの所定の著作権管理情報の有無を検出し、前記著作権管理情報とコピーを行った回数に基づいて前記入来データのコピーの可否及びコピーが有料であるか否かを判断し、所定の回数以降は有料によりコピー許可するデジタルデータ記録方法であって、
前記入来データにＩＳＲＣコードがない場合に内部のコード発生器で仮のＩＳＲＣコードを発生するステップと、
前記著作権管理情報内のＩＳＲＣコードに加えさらに前記ＩＳＲＣコードがない場合に内部のコード発生器で発生された仮のＩＳＲＣコードの少なくともいずれかの情報及びコピー管理情報に基づいてコピーの可否を決定するステップと、
からなるデジタルデータ記録方法。
【請求項２】
前記所定の回数は１回であることを特徴とする請求項１に記載のデジタルデータ記録方法。
【発明の詳細な説明】
【０００１】
【発明の属する技術分野】
本発明は、オーディオデータ等のデジタルデータをコピーする際の著作権管理を的確に行えるようにしたデジタルデータ記録方法に関する。
【０００２】
【従来の技術】
現在、例えば、ＣＤ（コンパクトディスク）には著作権管理を行えるように、その内周部のポストカッティングエリアと称する領域に、ＩＳＲＣ（国際標準レコーディングコード：Ｉｎｔｅｒｎａｔｉｏｎａｌ  Ｓｔａｎｄａｒｄ  Ｒｅｃｏｒｄｉｎｇ  Ｃｏｄｅ、以下単にＩＳＲＣコードと記す。）なるものが記録されるようになっている。
【０００３】
そして、本願出願人は、先に、特開平１０―１７７７６７号に開示の発明により、ＤＶＤディスクを例にとりＩＳＲＣコードを利用して課金を行ってコピー等の著作権管理を行えるようにした提案をした。
【０００４】
【発明が解決しようとする課題】
ところが、場合によってはＩＳＲＣコードが記録されていないようなディスクもあり、これらのディスクに対応する必要が生じている。
また、国によっては、例えばＣＤのコピーに際しては、１回は無料でコピーさせるのが社会通念になっていたり（米国、日本）、１回目から有料でコピーさせる国など（例えばヨーロッパ）もあり、コピー回数によって課金管理を変えたいという要望がある。
また、当然のことながら、課金する場合には、より簡略化したシステムが望まれている。
そこで、本願発明は、上記のような要望を満足する装置を提供しようというものである。
【０００５】
【課題を解決するための手段】
本発明は、上記課題を解決するために以下の１）及び２）の手段より成る。
すなわち、
【０００６】
１コピー対象となる入来データの所定の著作権管理情報の有無を検出し、前記著作権管理情報とコピーを行った回数に基づいて前記入来データのコピーの可否及びコピーが有料であるか否かを判断し、所定の回数以降は有料によりコピー許可するデジタルデータ記録方法であって、
前記入来データにＩＳＲＣコードがない場合に内部のコード発生器で仮のＩＳＲＣコードを発生するステップと、
前記著作権管理情報内のＩＳＲＣコードに加えさらに前記ＩＳＲＣコードがない場合に内部のコード発生器で発生された仮のＩＳＲＣコードの少なくともいずれかの情報及びコピー管理情報に基づいてコピーの可否を決定するステップと、
からなるデジタルデータ記録方法。
【０００７】
２）前記所定の回数は１回であることを特徴とする請求項１に記載のデジタルデータ記録方法。
【０００９】
【発明の実施の形態】
以下、本発明の実施の形態につき、好ましい実施例により説明する。
図１はその実施例に適用されるデジタルデータ記録装置が採用される記録システムを示す概略ブロック図である。
本実施例に係るデジタルデータ記録装置は、ＣＤやＤＶＤオーディオ等のディジタルオーディオデータが記録される記録装置であっても良く、また、ＤＶＤビデオディス等のようなビデオデータが記録される記録装置であっても良く、ここでは説明を分かり易くするためにオーディオデータを扱う記録装置として説明する。
【００１０】
本デジタルデータ記録装置１は、ＣＤ等のディジタルオーディオディスクやＤＶＤディスク（ビデオ／オーディオ）プレーヤ或いは本実施例に係るデジタルデータ記録装置等のようなデータ提供装置Ｐとのデータのやりとりを例えばＩＥＥＥ１３９４規格やＩＥＣ９５８によるシリアルインターフェースを介して接続するための入出力部１ａ、着脱自在の例えばプリペイド形式のカード型又は着脱不可の内蔵型の電子財布１ｂ、装置内の各部の制御や本装置のプログラムを実行するためのＣＰＵ１ｃ、後述の入来する情報にＩＳＲＣコードが付与されていない場合に仮のＩＳＲＣコードを発生するためのコード発生器１ｅ、例えばＩＣメモリやメモリカード等で構成される着脱自在の記録媒体１ｆ、入来する著作権情報を一旦取り込むためのＲＡＭ１ｊ、前記の各部とのデータのやりとりを行うための内部バス１ｇ、例えば記録媒体１ｆに記録されたデジタルオーディオデータを読み取り、アナログデータに変換するためのＤ／Ａコンバータ１ｈ、そして、例えば、２チャンネルのステレオ信号して変換されたアナログオーディオ信号を出力するための出力端子１ｉ等とより概略構成されている。
【００１１】
また、図２（ａ）は記録媒体１ｆにおける概略的なデータ構造を示し、著作権情報を記録するためのヘッダ部（または物理情報部）１ｆ−１とオーディオデータ等を記録するためのデータ部（応用物理情報部）１ｆ−２とから構成されている。図２（ｂ）はそのヘッダ部（または物理情報部）１ｆ−１の概略構成で、例えば、１６セクタ「１」〜「１６」で構成され、セクタ「１」には物理フォーマット情報が記録され、セクタ「２」にはディスク製造情報が記録され、セクタ「３」及び「４」には著作権管理情報が記録されるようになっている。
これらセクタ「３」及び「４」の例えば１バイト目には、例えばコピー回数やコピーに応じた料金体系等のコピー管理情報が記録される。２バイト目から１８バイトまでは楽曲ソース（プログラムソース）を示すＩＳＲＣコードやディスク製造者を示すＳＩＤ（ソースＩＤ）が１タイトル毎に記録される。
【００１２】
次の、図３のフローチャートを用いて本記録装置の動作を説明する。
データ提供装置Ｐを再生状態又はデータ転送モードに設定し、データ記録装置１を図示しない操作手段により記録モード（コピーモード）に設定する。
まず、データ提供装置Ｐからヘッダ情報がある場合にはこの情報を受信し、このデータを一旦ＲＡＭ１ｊに取り込む（ステップＳ１）。このヘッダ内にコピー管理情報がある場合、これをチェックし、入来する情報が過去にコピーされたものでない（１世代）ことが確認されると（ステップＳ２でＹｅｓ）、コピー管理情報にコピー回数を１だけ増加し、２世代のフラグを立ててヘッダを変更し（ステップＳ３）、コピーモードが実行されてヘッダと共に後続のオーディオデータを記録媒体１ｆ内の前述の所定領域内にコピーする（ステップＳ９）。
【００１３】
また、一方、ステップＳ１において、ヘッダにコピー管理情報がない場合、又はヘッダ内にソース情報が既に１回以上コピーされたものであることが確認された場合には、ヘッダ内にＩＳＲＣコードが格納されているか、又は後述の仮のＩＳＲＣコードが記録されているか否かが判断され（ステップＳ４）、Ｙｅｓであれば、電子財布１ｂに残高が不足していないか否かをチェックし（ステップＳ７）、不足していなければ（ステップＳ７でＹｅｓ）、コピー管理情報にコピー回数を１だけ増加し（ステップＳ８）、電子財布１ｂからコピー料金を支払い（すなわち、減額し）（ステップＳ９）、記録媒体１ｆ内にＩＳＲＣコードと前記コピー管理情報とオーディオデータとを記録コピーする（ステップＳ９）。もし、ステップＳ６でＮＯであれば、終了する（コピー不可）。
【００１４】
もし、ステップＳ４でＮＯであれば、まず電子財布１ｂに残高が不足していないか否かをチェックし（ステップＳ４）、不足していなければ（ステップＳ４でＹｅｓ）、コード発生器９で識別文字及び乱数より成るコードを発生し、オーディオデータの先頭の所定バイト分のデータに付加してこれを仮のＩＳＲＣコードし（ステップＳ６）、コピー管理情報にコピー回数を１だけ増加する（ステップＳ７）。そして、課金を行った後、記録媒体１ｆ内に仮のＩＳＲＣコード、コピー管理情報及びオーディオ情報をコピーする。また、前記ステップＳ４で残高がなければ、終了する（コピー不可）。
また、この装置からデータを転送する場合には、記録媒体１ｆに記録されたヘッダ情報と共にオーディオデータが入出力部１ａを介して転送されることになる。
【００１５】
以上のように、本実施例の装置によれば、ヘッダによって例えばＣＤ等のデジタルデータのコピー回数を管理し、１回は無料コピーを認め、２回目以降、ＩＳＲＣコードがある場合やＩＳＲＣコードが付与されていない場合には課金するようにするため、著作権管理が確実となる。
また、ＩＳＲＣコードが付与されていない場合には、仮のＩＳＲＣコードを付与したり、コピーする場合には各コードに応じてコピー回数を増加して管理するようにしているため、コピー後にデータの転送等を行う場合の著作権管理がし易くなる。
【００１６】
次に、前述の図１及び図４のフローチャートを用いて第２実施例に係るデータ記録装置つき説明する。前述の実施例１と同一作用効果を奏する構成要素には同一符号を付して説明を省略する。
この第２実施例に係る装置は、図１に示す装置において、一点鎖線で示した課金管理用のテーブル１ｄを付加した構成のものである。この課金管理用のテーブル１ｄは予め１００万曲程度の数に対応したＩＳＲＣコードと、これらのコードに対応したコピー回数の追記と、新たに発売した曲に対応したＩＳＣコードやコードが付与されていないときの仮のコードの追記と、これらに対応したコピー回数の追記記録が可能な管理テーブルである。
【００１７】
図４において、まず、前記と同様にデータ提供装置Ｐを再生モードやデータ転送モードとし、本実施例に係る装置を記録モードとすると、ヘッダ情報がある場合これを受信し（ステップＳ１０）、このヘッダ内にＩＳＲＣコードが格納されているか否かが判断され（ステップＳ１１）、Ｙｅｓであれば、テーブル１ｄ内においてＩＳＲＣコードをサーチしこれがコピーされた回数を調べる（ステップＳ１４）。ソース情報のコピーが１回目であることが確認されると（ステップＳ１５でＹｅｓ）、テーブル１ｄ内の対応するコードに回数を１と記入する（ステップＳ１６）、また、新曲等の出現で送信情報内にＩＳＲＣコードの情報はあるが、テーブル１ｄ内にはコードデータがない場合には、テーブル１ｄ内にそのＩＳＲＣコードと共にコピーが１回目であることを記録する。
次に、送信ヘッダ内にコピー回数を１だけ増加し２世代のフラグを立ててヘッダを変更し（ステップＳ１３）、コピーモードに入り記録媒体１ｆ内の所定領域に変更したヘッダと共にオーディオデータとをコピーする（ステップＳ２１）。
【００１８】
もし、ステップＳ１５のテーブル１ｄの管理データの参照において、コピーが１回目でないと判断されると（ステップＳ１５でＮＯ）、電子財布３に残高の不足がないかチェックして（ステップＳ１７）、ＮＯであれば終了し（コピー不可）、残高があると判断されると（ステップＳ１７でＹｅｓ）、テーブル１ｄにこのＩＳＲＣコードのコピー回数を１だけ増加して記録し（ステップＳ１８）、送信ヘッダ内のコピー回数を１だけ増加してヘッダを変更し（ステップＳ１９）、課金し、すなわち電子財布を減額し（ステップＳ２０）、記録媒体１ｆ内の所定領域に前記のヘッダとオーディオデータをコピーする（ステップ２１）。
【００１９】
もし、ステップＳ１１においてソース情報のヘッダにＩＳＲＣコードが記録されていないと判断されると（ステップＳ１１でＮＯ）、前記実施例の場合と同様にしてコード発生器１ｅで識別文字及び乱数から成るコードを発生し、このコードをコピーデータの一部に付加して仮のＩＳＲＣコードとし、テーブル１ｄに仮のコードとコピー回数を記録し（ステップ１６）、送信ヘッダ情報がある場合にはコピー回数を１だけ増加し（ステップ１３）、ない場合にはそのままスルーで記録媒体１ｆに仮のＩＳＲＣコード、コピー回数情報及びオーディオデータを記録コピーする（ステップＳ２１）。
なお、ステップＳ１１において、前記の仮の１ＳＲＣコードの入来があった場合の検出方法は、テーブル内のコードと入来コードとの完全一致でなくとも良く、相対比較による一致であれば良い。
【００２０】
従って、この第２の実施例に係る装置によれば、著作権管理用のテーブルを用意しているために、この装置だけのクローズド方式の著作権管理が可能となると共に、記録媒体１ｆにもコピー履歴を記録するようにしているので、転送時等の以後のコピーがし易くなる。
尚、この実施例では、この装置だけのクローズド方式のコピー管理を主眼としており、記録媒体１ｆにコピー履歴を記録することは、必要な要件ではない。
【００２１】
次に、第３実施例につき説明する。
例えば、ディスクによっては、ＩＲＳＣコードがコピー対象であるオーディオデータ等の実データの後に付与されている場合があり、このようなディスクのコピー管理をできるようにしたものである。
図５は、その実施例に係るフローチャートである。
前述の図４のフローチャートと相違する点は、スタート直後のヘッダ情報の受信の代わりにＩＲＳＣコードのデーコードを行うステップＳ１０ａを設けたことと、ステップＳ２３と、ステップＳ２４とを追加した点である。
【００２２】
この装置の場合には、ＩＲＳＣコードが入来する前のオーディオのデータをコピーすると共に、ＩＲＳＣコードを含むデータが一旦ＲＡＭ取り込まれ、そのデータをＣＰＵ１ｃに読み出してＩＲＳＣコードをデコードするようになっている。そして、ＩＲＳＣコードが検出された後の残高を確認するステップ１７で、残高が少ないと判断されたとき、コピーモードを中止し（ステップＳ２３）、それまでにコピーされたデータを消去するようにしたものである。
【００２３】
上述の実施例では、データ提供装置を記録装置を用いて説明したが、それに限らず、再生機能を含む装置であっても良い。
また、コピーする場合の課金は、コピー１回目から課金をしても良く、コピーの回数に応じて、料金を変えても良い。その場合には、ＣＰＵ１ｃ内にコピー回数に応じた料金表テーブルを用意し、これを参照して課金するようにすれば良い。
【００２４】
【発明の効果】
本発明の装置によれば、特に、ＩＳＲＣコードが付与されていないデータには仮のＩＳＲＣコードを付与してコピー管理ができ、極めて簡単な構成で著作権管理が可能となる。
また、コピー履歴情報を記録する手段を具備する装置にあっては、コピー後にデータ転送をする場合等、以後のコピー管理がし易くなる。
【図面の簡単な説明】
【図１】本発明の実施例に適用されるデータ記録装置が採用される記録システムの概略ブロック図である。
【図２】記録媒体のデータ領域図である。
【図３】図１の装置の動作を説明するためのフローチャートである。
【図４】第２実施例を説明するためのフローチャートである。
【図５】第３実施例を説明するためのフローチャートである。
【符号の説明】
１    データ記録装置
１ａ    入出力部
１ｂ    電子財布
１ｃ    ＣＰＣ（制御手段）
１ｄ    課金テーブル
１ｅ    コード発生器
１ｆ    記録媒体
１ｊ    ＲＡＭ
Ｐ    データ提供装置
【図１】
0003630287.tif 000002
【図２】
0003630287.tif 000003
【図３】
0003630287.tif 000004
【図４】
0003630287.tif 000005
【図５】
0003630287.tif 000006